【手続補正書】
【提出日】平成17年9月7日(2005.9.7)
【手続補正１】
【補正対象書類名】特許請求の範囲
【補正対象項目名】全文
【補正方法】変更
【補正の内容】
【特許請求の範囲】
【請求項１】
所定のプリンタにおいて予め定めたマークを付加するマーク付印刷を行ない得るようにするための各種情報を設定し、該設定された各種情報を制御情報として該制御情報に基づいて前記プリンタを制御するプリンタ制御装置であって、
前記各種情報として、前記マークの１ページ面における印刷位置を定める位置情報を少なくとも備え、前記各種情報を、前記マークの種類毎に組分してそれぞれ記憶するマーク情報記憶手段と、
外部からの指令を受けて、前記マーク情報記憶手段に各種情報が記憶されている複数のマークの種類のうちから一の種類を指定するマーク種類指定手段と、
前記マーク情報記憶手段に記憶された複数組の各種情報から、前記マーク種類指定手段により指定されたマークの種類に対応する一組の各種情報を読み出すマーク情報読出手段と、
該マーク情報読出手段により読み出された各種情報を前記制御情報として設定する制御情報設定手段と
を備えるプリンタ制御装置。
【請求項２】
請求項１に記載のプリンタ制御装置であって、
前記マーク種類指定手段は、
前記マーク情報記憶手段に各種情報が記憶されている複数のマークの種類を定める複数のマーク名を表示し得る選択候補表示欄を表示装置に表示させる第１の表示制御手段と、
前記入力装置からの指令に基づいて、前記選択候補表示欄に表示された複数のマーク名のうちから一のマーク名を選択することにより、前記一の種類の指定を行なうマーク名選択手段と
を備えるとともに、
このプリンタ制御装置は、
前記選択候補表示欄と同一の表示画面上に、前記マーク情報読出手段により読み出された一組の各種情報のうちの少なくとも一の情報を示す画像を表示させる第２の表示制御手段
を備えるプリンタ制御装置。
【請求項３】
前記第２の表示制御手段により表示される画像は、前記プリンタにおけるマーク付印刷時の実際の印刷結果に対応した絵図である請求項２に記載のプリンタ制御装置。
【請求項４】
請求項１ないし３のうちのいずれかに記載のプリンタ制御装置であって、
前記マーク情報読出手段により読み出された一組の各種情報を、入力装置からの入力データに基づいて変更する情報変更手段と、
該情報変更手段による変更内容でもって、前記マーク情報記憶手段の記憶内容を更新する記憶情報更新手段と
を備えるプリンタ制御装置。
【請求項５】
所定のプリンタにおいて予め定めたマークを付加するマーク付印刷を行ない得るようにするための各種情報を設定し、該設定された各種情報を制御情報として該制御情報に基づいて前記プリンタを制御するプリンタ制御方法であって、
（ａ）前記各種情報として、前記マークの１ページ面における印刷位置を定める位置情報を少なくとも備え、前記各種情報を、前記マークの種類毎に組分してそれぞれ記憶するマーク情報テーブルを用意する工程と、
（ｂ）外部からの指令を受けて、前記マーク情報テーブルに各種情報が記憶されている複数のマークの種類のうちから一の種類を指定する工程と、
（ｃ）前記マーク情報テーブルに記憶された複数組の各種情報から、前記工程（ｂ）により指定されたマークの種類に対応する一組の各種情報を読み出す工程と、
（ｄ）該読み出された各種情報を前記制御情報として設定する工程と
を備えるプリンタ制御方法。
【請求項６】
請求項５に記載のプリンタ制御方法であって、
（ｅ）前記工程（ｂ）により読み出された一組の各種情報を、入力装置からの入力データに基づいて変更する工程と、
（ｆ）前記工程（ｄ）による変更内容でもって、前記マーク情報テーブルを更新する工程と
を備えるプリンタ制御方法。
【請求項７】
所定のプリンタにおいて予め定めたマークを付加するマーク付印刷を行ない得るようにするための各種情報を設定し、該設定された各種情報を制御情報として該制御情報に基づいて前記プリンタを制御するためのコンピュータを記録した記録媒体であって、
（ａ）前記各種情報として、前記マークの１ページ面における印刷位置を定める位置情報を少なくとも備え、前記各種情報を、前記マークの種類毎に組分してそれぞれ記憶するマーク情報テーブルを用意する工程と、
（ｂ）外部からの指令を受けて、前記マーク情報テーブルに各種情報が記憶されている複数のマークの種類のうちから一の種類を指定する工程と、
（ｃ）前記マーク情報テーブルに記憶された複数組の各種情報から、前記工程（ｂ）により指定されたマークの種類に対応する一組の各種情報を読み出す工程と、
（ｄ）該読み出された各種情報を前記制御情報として設定する工程と
をコンピュータに実行させるためのコンピュータプログラムを記録した記録媒体。
【手続補正２】
【補正対象書類名】明細書
【補正対象項目名】０００６
【補正方法】変更
【補正の内容】
【０００６】
このような課題を解決するため、この発明の第１のプリンタ制御装置は、
所定のプリンタにおいて予め定めたマークを付加するマーク付印刷を行ない得るようにするための各種情報を設定し、該設定された各種情報を制御情報として該制御情報に基づいて前記プリンタを制御するプリンタ制御装置であって、
前記各種情報として、前記マークの１ページ面における印刷位置を定める位置情報を少なくとも備え、前記各種情報を、前記マークの種類毎に組分してそれぞれ記憶するマーク情報記憶手段と、
外部からの指令を受けて、前記マーク情報記憶手段に各種情報が記憶されている複数のマークの種類のうちから一の種類を指定するマーク種類指定手段と、
前記マーク情報記憶手段に記憶された複数組の各種情報から、前記マーク種類指定手段により指定されたマークの種類に対応する一組の各種情報を読み出すマーク情報読出手段と、
該マーク情報読出手段により読み出された各種情報を前記制御情報として設定する制御情報設定手段と
を備えることを要旨としている。
【手続補正３】
【補正対象書類名】明細書
【補正対象項目名】０００７
【補正方法】変更
【補正の内容】
【０００７】
この構成の第１のプリンタ制御装置では、マーク付印刷を行ない得るようにするためのマークの位置情報を少なくとも備えた各種情報が、マーク情報記憶手段によってマークの種類毎に組分けしてそれぞれ記憶されている。そして、外部からの指令を受けて、それら複数のマークの種類のうちの一の種類がマーク指定手段によって指定されると、その指定されたマークの種類に対応した各種情報がマーク情報記憶手段から読み出されて、制御情報として設定される。
【手続補正４】
【補正対象書類名】明細書
【補正対象項目名】００１１
【補正方法】変更
【補正の内容】
【００１１】
したがって、このプリンタ制御装置では、スタンプマークの設定を行なうに際して、オペレータは、表示画面の切替といった面倒な操作を行なうことなしに、各スタンプマークの種類毎の最新の各種情報を表示画面から知り得ることができる。したがって、スタンプマークの設定の作業性により一層優れている。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】変更
【補正の内容】
【００１８】
この発明の第１のプリンタ制御方法は、
所定のプリンタにおいて予め定めたマークを付加するマーク付印刷を行ない得るようにするための各種情報を設定し、該設定された各種情報を制御情報として該制御情報に基づいて前記プリンタを制御するプリンタ制御方法であって、
（ａ）前記各種情報として、前記マークの１ページ面における印刷位置を定める位置情報を少なくとも備え、前記各種情報を、前記マークの種類毎に組分してそれぞれ記憶するマーク情報テーブルを用意する工程と、
（ｂ）外部からの指令を受けて、前記マーク情報テーブルに各種情報が記憶されている複数のマークの種類のうちから一の種類を指定する工程と、
（ｃ）前記マーク情報テーブルに記憶された複数組の各種情報から、前記工程（ｂ）により指定されたマークの種類に対応する一組の各種情報を読み出す工程と、
（ｄ）該読み出された各種情報を前記制御情報として設定する工程と
を備えることを要旨としている。
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】変更
【補正の内容】
【００２４】
この発明の記録媒体は、
所定のプリンタにおいて予め定めたマークを付加するマーク付印刷を行ない得るようにするための各種情報を設定し、該設定された各種情報を制御情報として該制御情報に基づいて前記プリンタを制御するためのコンピュータを記録した記録媒体であって、
（ａ）前記各種情報として、前記マークの１ページ面における印刷位置を定める位置情報を少なくとも備え、前記各種情報を、前記マークの種類毎に組分してそれぞれ記憶するマーク情報テーブルを用意する工程と、
（ｂ）外部からの指令を受けて、前記マーク情報テーブルに各種情報が記憶されている複数のマークの種類のうちから一の種類を指定する工程と、
（ｃ）前記マーク情報テーブルに記憶された複数組の各種情報から、前記工程（ｂ）により指定されたマークの種類に対応する一組の各種情報を読み出す工程と、
（ｄ）該読み出された各種情報を前記制御情報として設定する工程と
をコンピュータに実行させるためのコンピュータプログラムを記録したことを要旨としている。
【手続補正１１】
【補正対象書類名】明細書
【補正対象項目名】００９８
【補正方法】変更
【補正の内容】
【００９８】
したがって、この実施例では、スタンプマークの設定を行なうに際して、オペレータは、表示画面の切替といった面倒な操作を行なうことなしに、各スタンプマークの種類毎の最新の各種情報を表示画面から知り得ることができる。したがって、スタンプマークの設定の作業性により一層優れている。